【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
折りローラと該折りローラに圧接する圧接ローラとからなる上流側の折りローラ対及び折りローラと該折りローラに圧接する圧接ローラとからなる下流側の折りローラ対を搬送路に前後して配置し、
前記２個の折りローラ対でシートをニップして、前記上流側の折りローラ対でシートを第１方向に搬送するとともに、前記下流側の折りローラ対で、前記第１方向と反対の第２方向にシートを搬送することにより、シートに折り目を付け、折り目部を先頭にして、シートを２個の前記折りローラ対で搬送することにより、シートを折り畳む折り部を有する折り畳み装置において、
前記下流側の折りローラ対の下流側に可動案内部材を設けたことを特徴とする折り畳み装置。
【請求項２】
少なくとも２個の折り部が搬送路に前後して配置され、下流側の前記折り部が、請求項１に記載の前記折り部からなることを特徴とする折り畳み装置。
【請求項３】
前記２個の折りローラ対の前記折りローラと前記圧接ローラ間にシートを導入する導入工程においては、前記２個の折りローラ対により挟持搬送することを特徴とする請求項１又は２に記載の折り畳み装置。
【請求項４】
前記可動案内部材は、前記２個の折りローラ対によりシートを折り畳む折り畳み工程時に、前記折りローラ対に近接する上流側搬送路を狭くすることを特徴とする請求項１〜３のいずれか１項に記載の折り畳み装置。
【請求項５】
前記可動案内部材は、前記２個の折りローラ対にシートを導入する導入工程において、広い上流側搬送路を形成し、前記２個の折りローラ対によりシートを折り畳む折り畳み工程時において、狭い上流側搬送路を形成することを特徴とする請求項１〜４のいずれか１項に記載の折り畳み装置。
【請求項６】
前記２個の折りローラ間のニップに向けてシートをガイドする可動なガイド部材を有することを特徴とする請求項１〜５のいずれか１項に記載の折り畳み装置。
【請求項７】
前記上流側の折りローラ対の前記折りローラと前記下流側の折りローラ対の前記折りローラとは、シートの導入工程において離間して同方向に回転し、折り畳み工程において圧接して反対方向に回転することを特徴とする請求項１〜６のいずれか１項に記載の折り畳み装置。
【請求項８】
前記可動案内部材は、前記折りローラの圧接動作に連動することを特徴とする請求項７に記載の折り畳み装置。
【請求項９】
前記可動案内部材を有する前記折り部を含む３個の折り部が縦に配置され、シートを下から上に搬送する複数の搬送路及び前記３個の折り部を選択使用することにより、複数モードの折り処理を行うことを可能としたことを特徴とする請求項１〜８のいずれか１項に記載の折り畳み装置。
【請求項１０】
前記可動案内部材を有する前記折り部を、前記３個の折り部のうち、中間の折り部として配置したことを特徴とする請求項９に記載の折り畳み装置。
【請求項１１】
前記可動案内部材の下流側端部は、シートを下から上に搬送する前記搬送路であって、前記可動案内部材を有する前記折り部が配置された搬送路でない搬送路に臨むように配置されていることを特徴とする請求項９に記載の折り畳み装置。
【請求項１２】
請求項１〜１１のいずれか１項に記載の折り畳み装置を有することを特徴とする画像形成装置。
【手続補正２】
【補正対象書類名】明細書
【補正対象項目名】０００９
【補正方法】変更
【補正の内容】
【０００９】
２．少なくとも２個の折り部が搬送路に前後して配置され、下流側の前記折り部が、１に記載の前記折り部からなることを特徴とする折り畳み装置。
【手続補正３】
【補正対象書類名】明細書
【補正対象項目名】００１０
【補正方法】変更
【補正の内容】
【００１０】
３．前記２個の折りローラ対の前記折りローラと前記圧接ローラ間にシートを導入する導入工程においては、前記２個の折りローラ対により挟持搬送することを特徴とする１又は２に記載の折り畳み装置。
４．前記可動案内部材は、前記２個の折りローラ対によりシートを折り畳む折り畳み工程時に、前記折りローラ対に近接する上流側搬送路を狭くすることを特徴とする１〜３のいずれか１項に記載の折り畳み装置。
【手続補正４】
【補正対象書類名】明細書
【補正対象項目名】００１１
【補正方法】変更
【補正の内容】
【００１１】
５．前記可動案内部材は、前記２個の折りローラ対にシートを導入する導入工程において、広い上流側搬送路を形成し、前記２個の折りローラ対によりシートを折り畳む折り畳み工程時において、狭い上流側搬送路を形成することを特徴とする１〜４のいずれか１項に記載の折り畳み装置。
【手続補正５】
【補正対象書類名】明細書
【補正対象項目名】００１２
【補正方法】変更
【補正の内容】
【００１２】
６．前記２個の折りローラ間のニップに向けてシートをガイドする可動なガイド部材を有することを特徴とする１〜５のいずれか１項に記載の折り畳み装置。
【手続補正６】
【補正対象書類名】明細書
【補正対象項目名】００１３
【補正方法】変更
【補正の内容】
【００１３】
７．前記上流側の折りローラ対の前記折りローラと前記下流側の折りローラ対の前記折りローラとは、シートの導入工程において離間して同方向に回転し、折り畳み工程において圧接して反対方向に回転することを特徴とする１〜６のいずれか１項に記載の折り畳み装置。
【手続補正７】
【補正対象書類名】明細書
【補正対象項目名】００１４
【補正方法】変更
【補正の内容】
【００１４】
８．前記可動案内部材は、前記折りローラの圧接動作に連動することを特徴とする７に記載の折り畳み装置。
【手続補正８】
【補正対象書類名】明細書
【補正対象項目名】００１５
【補正方法】変更
【補正の内容】
【００１５】
９．前記可動案内部材を有する前記折り部を含む３個の折り部が縦に配置され、シートを下から上に搬送する複数の搬送路及び前記３個の折り部を選択使用することにより、複数モードの折り処理を行うことを可能としたことを特徴とする１〜８のいずれか１項に記載の折り畳み装置。
【手続補正９】
【補正対象書類名】明細書
【補正対象項目名】００１６
【補正方法】変更
【補正の内容】
【００１６】
１０．前記可動案内部材を有する前記折り部を、前記３個の折り部のうち、中間の折り部として配置したことを特徴とする９に記載の折り畳み装置。
【手続補正１０】
【補正対象書類名】明細書
【補正対象項目名】００１７
【補正方法】変更
【補正の内容】
【００１７】
１１．前記可動案内部材の下流側端部は、シートを下から上に搬送する前記搬送路であって、前記可動案内部材を有する前記折り部が配置された搬送路でない搬送路に臨むように配置されていることを特徴とする９に記載の折り畳み装置。
【手続補正１１】
【補正対象書類名】明細書
【補正対象項目名】００１８
【補正方法】変更
【補正の内容】
【００１８】
１２．１〜１１のいずれか１項に記載の折り畳み装置を有することを特徴とする画像形成装置。
【手続補正１２】
【補正対象書類名】明細書
【補正対象項目名】００１９
【補正方法】変更
【補正の内容】
【００１９】
１〜１２のいずれか１項に記載の発明により、折り畳み装置を小型にすることができるとともに、正しい位置に折り目を付け、且つキチット折られた高い品質の折り畳みシートを作成することが可能になる。
【手続補正１３】
【補正対象書類名】明細書
【補正対象項目名】００２１
【補正方法】変更
【補正の内容】
【００２１】
９又は１１の発明により、多様なモードで折り処理を行うことができ、しかも、装置を小型化することが可能になる。
【手続補正１４】
【補正対象書類名】図面
【補正対象項目名】図１１
【補正方法】変更
【補正の内容】
【図１１】
2005096990.tif 000001